(57)【要約】【課題】カプセル内を効率よく水蒸気で加湿することができ、汎用性や量産性に優れたロウリュ式カプセルサウナ装置を提供する。【解決手段】加湿機構１１を、散水装置４とサウナストーン収納函５とから構成する。散水装置４を、貯水タンク９に貯留したロウリュ水を揚水する散水用ポンプ１０と、その全面に渡って複数の散水孔４ｂが穿設された天板４ｃと、この天板４ｃの周縁を囲んで配置されると共にその全長に渡って複数の散水孔４ｂが穿設された散水用配管４ａとから構成する。【選択図】図７
2017080283.tif 000002
【特許請求の範囲】
【請求項１】
開閉可能な上部蓋体と下部入浴容器とからなるカプセル式サウナ装置において、加熱したサウナストーンに散水して前記カプセル室内を加湿する加湿機構の全部又は一部を前記サウナ装置内に着脱自在に設けたことを特徴とするロウリュ式カプセルサウナ装置。
【請求項２】
加湿機構が、複数の散水孔が穿設された天板と、該天板の周縁を囲んで配置されると共に複数の散水孔が穿設された散水用配管と、貯水タンク及びこの貯水タンクから前記散水用配管に送水する散水用ポンプとからなる散水装置と、該散水装置の下方に配置されるサウナストーン収納函とからなり、該サウナストーン収納函には、サウナストーンとサウナストーンを載置する網体と、前記サウナストーンを加熱するヒーターを付設してなることを特徴とする請求項１記載のロウリュ式カプセルサウナ装置。
【発明の詳細な説明】
【技術分野】
【０００１】
本発明は、個人住宅あるいはホテル等の室内に設置して使用されるカプセルサウナ装置に関するものである。
【背景技術】
【０００２】
一般的なロウリュ式のサウナ室は、熱したサウナストーンに水をかけて水蒸気を発生させることにより、入浴者の体感温度を上げて発汗作用を促進し、健康を増進させる目的で温泉施設等に併設されることが多く広く普及している。こうしたサウナ室は躯体に木材を大量に使用し施工が大掛りであり、一般家庭等に設置して個人的に使用するのには不向きである。
【０００３】
そのため、個人で使用することができる小型のサウナ器具や装置が従来から種々提案されているが、家屋の改修や新たな水回り施設を要する。そこで、近年、一般住宅の既設室内にも設置容易なカプセル式のサウナ装置が市販されている。このカプセル式サウナ装置は、成形が容易で量産性に優れると共に、耐久性に優れ、小型軽量で搬送性、設置自在性に優れ、手軽に利用できる汎用性、省エネルギー性、安全性に優れたものとされている。
例えば、カプセル状に形成された入浴室と、入浴室の内部を加熱する加熱部を有し、入浴室が略円筒形状に形成された周壁部と、周壁部に形成された開口部と、周壁部に回動又は摺動自在に配設され開口部を開閉する開閉扉とを備えたカプセル式サウナ（特許文献１参照。）。
また、下部容器がＦＲＰ製で、略船底型に形成された周壁部と、周壁部の下部に延設された底部接地部と、周壁部の上端の開口部に覆設されたベッド部とを有し、下部容器のベッド部が遠赤外線等の電磁波を放射する放射体岩盤と、放射体岩盤を加熱する放射体加熱部とが固定される放射部固定凹所部を備え、上部容器が、ＦＲＰ製で、外壁部と内壁部とを有し、長手方向の他端部に入浴者の頭部を露出させるための切り欠き部を備えた二重構造にされ、上部容器の内壁部が、下部容器と上部容器で囲まれる入浴部を加熱する入浴部加熱部が配設される加熱部固定孔部を備えたカプセルサウナ用の容器（特許文献２参照。）等が提案されている。
【先行技術文献】
【特許文献】
【０００４】
【特許文献１】特開２００６−１５００５７号公報
【特許文献２】特開２０１０−１２５２０１号公報
【発明の概要】
【発明が解決しようとする課題】
【０００５】
ところで、上記従来のカプセル式サウナ装置は、いわゆる岩盤浴効果を利用した放射体岩盤をシーズヒーター等で加熱し、入浴者の体躯を温める構成に過ぎず、水蒸気により加湿するロウリュ式サウナと同様のサウナ効果は得難いものと予想される。しかしながら、カプセル内を水蒸気でむらなく加湿する点については課題が残る。
【０００６】
本発明は上記のような課題に鑑み、カプセル内を効率よく水蒸気で加湿することができ、こうした加湿器を搭載しても小型かつ低コストで量産性に優れたロウリュ式カプセルサウナ装置を提供することを目的とする。
【課題を解決するための手段】
【０００７】
そこで本発明は、開閉可能な上部蓋体と下部入浴容器とからなるカプセル式サウナ装置において、加熱したサウナストーンに散水して前記カプセル室内を加湿する加湿機構の全部又は一部を前記サウナ装置内に着脱自在に設けたことを第１の特徴とする。また、加湿機構が、複数の散水孔が穿設された天板と、該天板の周縁を囲んで配置されると共に複数の散水孔が穿設された散水用配管と、貯水タンク及びこの貯水タンクから前記散水用配管に送水する散水用ポンプとからなる散水装置と、該散水装置の下方に配置されるサウナストーン収納函とからなり、該サウナストーン収納函には、サウナストーンとサウナストーンを載置する網体と、前記サウナストーンを加熱するヒーターを付設してなることを第２の特徴とする。
【発明の効果】
【０００８】
本発明によれば、下記の優れた効果がある。
（１）個人住宅やホテル等の既存の施設に簡便に設置して温泉施設等に併設される水蒸気により加湿するロウリュ式サウナと同様のサウナ効果を手軽に得ることができる。
（２）複数の散水孔が穿設された天板と、該天板の周縁を囲んで配置されると共に複数の散水孔が穿設された散水用配管を設けたので、カプセル内を効率よく水蒸気で加湿することができる。
（３）加湿機構の全部又は一部を着脱自在に設けたので、汎用性並びに量産性に優れ、サウナストーンの交換やメンテナンス作業を簡便にできる。
【図面の簡単な説明】
【０００９】
【図１】本発明に係るカプセルサウナ装置の正面側斜視図である。
【図２】本発明に係るカプセルサウナ装置の背面側斜視図である。
【図３】本発明に係るカプセルサウナ装置の正面図である。
【図４】本発明に係るカプセルサウナ装置の背面図である。
【図５】本発明に係るカプセルサウナ装置の下部入浴容器の平面図である。
【図６】図３の左側面図である。
【図７】散水機構の斜視図である。
【図８】散水機構の平面図である。
【図９】サウナストーン収納函の斜視図である。
【図１０】サウナストーン収納函の格納庫の斜視図である。
【図１１】格納庫にサウナストーン収納函を内装した状態を示す要部断面図である。
【発明を実施するための形態】
【実施例】
【００１０】
以下、図面に示す実施例に基づいて本発明の実施の形態を説明する。
図１乃至図６に示すように、本発明に係るロウリュ式カプセルサウナ装置は、膨出円弧形状の上部蓋体１と、入浴者が仰臥可能なベッド部（凹所）３がほぼ全長に渡って形成された船形の下部入浴容器２とを複数の蝶番２ａにて開閉可能に連結して構成されており、上部蓋体１を閉蓋した状態で入浴者の頭部以外の体躯をほぼ密閉した状態でカプセル室内に収納できるようにされている。そして、上部蓋体１の一方の側面には開閉動作の手掛かりとなる外側取手１ａ及び内側取手１ｂが設けられている。
【００１１】
下部入浴容器２には前記ベッド部３が形成されると共に、入浴者の頭部が収納される凹所３ｃの両側面に一対のスピーカー３ａとこれらを作動させるアンプ３ｂが取り付けられ、入浴中に音楽やリラックス音響等を聴くことできるようにされている。また、下部入浴容器２の下端側には給湯管２ａが配設され、ベッド部３に給湯して貯留することができる。そして、入浴により溢れた温水は、入浴者の脚部凹所３ｄ側でかつ下部入容器２の一側面側に設けられたオーバーフロー槽２ｃに越流して排水管２ｂから排出できるようにされている。
【００１２】
さらに、下部入浴容器２の入浴者の脚部凹所３ｄ側でかつ下部入容器２の他側面側には、加熱したサウナストーン６に散水してカプセル室内を加湿する加湿機構１１が設けられている。この加湿機構１１は、概ね散水装置４とサウナストーン収納函５とから構成されている。
【００１３】
図７乃至図９に示すように、散水装置４は、貯水タンク９に貯留したロウリュ水を揚水する散水用ポンプ１０と、その全面に渡って複数の散水孔４ｂが穿設された天板４ｃと、この天板４ｃの周縁を囲んで配置されると共にその全長に渡って複数の散水孔４ｂが穿設された散水用配管４ａとから構成され、貯水タンク９から揚水管１０ｂによって散水用配管４ａに送水されたロウリュ水を内向きに噴出するようにされている。尚、図中１０ａは散水用ポンプのスイッチである。また、ロウリュ水は一般的な水道水でも良いが、香料や薬剤等を添加したサウナ専用水を用いるものでもよい。
【００１４】
散水装置４の下方には、後述するサウナストーン収納函５の格納室８が形成されており、函体底面に取り付けられたキャスター５ｄを利用してサウナストーン収納函５を格納室８に容易に出し入れできるようにされている。これにより、サウナストーン６の交換等を初めメンテナンス作業を簡便に行うことができる。
【００１５】
サウナストーン収納函５には、複数個のサウナストーン６と、このサウナストーン６を載置する網体５ｂと、サウナストーン６を加熱するシーズヒーター５ｃが付設されており、サウナストーン収納函５を格納室８に収納した状態において、加熱されたサウナストーン６が散水装置４からの噴出水を浴びて水蒸気が発生するようにされている。すなわち、複数の散水孔４ｂが穿設された天板４ｃと、天板４ｃの周縁を囲んで配置されると共に複数の散水孔４ｂが穿設された散水用配管４ａから細かく噴出されるロウリュ水はサウナストーン６に満遍なく散布され、少ない水量でも効率よく水蒸気を発生させることができる。
【００１６】
図１０乃至図１１に示すように、格納室８の内側面には、サウナストーン収納函５の函体の上縁周囲に延出して設けられた鍔部５ａが嵌め込まれる鍔部嵌合条８ａと前記キャスター５ｄ走行用のレール８ａが設けられており、格納室８内にサウナストーン収納函５を容易かつ確実に固定することができ、不意な移動も規制することができる。
【００１７】
尚、本発明は、上記実施例に限定されるものではなく、特許請求の範囲から逸脱しない限りにおいて構成要件の変更及び付加が可能であることはいうまでもない。例えば、本実施例では、サウナ装置に加湿機構７の一部であるサウナストーン収納函５を着脱自在としているが、散水装置４を含めた加湿機構７全部を着脱可能にするものでもよい。
【符号の説明】
【００１８】
１    上部蓋体
１ａ  外取手
１ｂ  内取手
２    下部入浴容器
２ａ  給湯管
２ｂ  排水管
２ｃ  オーバーフロー槽
２ｄ  蝶番
３    ベッド部（凹所）
３ａ  防水スピーカー
３ｂ  スピーカー用アンプ
３ｃ  頭部凹所
３ｄ  脚部凹所
４    散水装置
４ａ  散水用配管
４ｂ  散水孔
４ｃ  天板
５    サウナストーン収納函
５ａ  鍔部
５ｂ  網体
５ｃ  シーズヒーター
５ｄ  キャスター
６    サウナストーン
７    加湿機構
８    サウナストーン収納函の格納室
８ａ  鍔部嵌合条
８ｂ  走行レール
９    貯水タンク
１０  散水用ポンプ
１０ａ散水ポンプ用スイッチ
１０ｂ揚水管
【図１】
2017080283.tif 000003
【図２】
2017080283.tif 000004
【図３】
2017080283.tif 000005
【図４】
2017080283.tif 000006
【図５】
2017080283.tif 000007
【図６】
2017080283.tif 000008
【図７】
2017080283.tif 000009
【図８】
2017080283.tif 000010
【図９】
2017080283.tif 000011
【図１０】
2017080283.tif 000012
【図１１】
2017080283.tif 000013